(57)【要約】【課題】安定して確実な払出しができる球払出装置を提供する。【解決手段】パチンコ球が連続して流下する球通路１９と、前記球通路１９に臨んで該球通路１９のパチンコ球を誘導する螺旋状の突条２７が外周に所定のリード角をもって形成される払出回転体２０と、前記払出回転体２０を駆動する電気的駆動源２１とを備えた球払出装置１４であって、前記突条２７の上流始端部に上面が外方向に下傾すると共にリード角をほぼゼロとした球停止面２８を形成した。【選択図】  図３
2005000240.tif 000002
【特許請求の範囲】
【請求項１】
パチンコ球が連続して流下する球通路と、前記球通路に臨んで該球通路のパチンコ球を誘導する螺旋状の突条が外周に所定のリード角をもって形成される払出回転体と、前記払出回転体を駆動する電気的駆動源とを備えた球払出装置であって、
前記突条の上流始端部に上面が外方向に下傾すると共にリード角をほぼゼロとした球停止面を形成したことを特徴とする球払出装置。
【請求項２】
パチンコ球が連続して流下する球通路と、前記球通路に臨んで該球通路のパチンコ球を誘導する螺旋状の突条が外周に所定のリード角をもって形成される払出回転体と、前記払出回転体を駆動する電気的駆動源とを備えた球払出装置であって、
前記突条の上流始端部に上面が外方向に下傾すると共にリード角をほぼゼロとした球停止面を形成し、前記球停止面の下流側にリード角を急角度とした加速面を連設したことを特徴とする球払出装置。
【請求項３】
パチンコ球が連続して流下する球通路と、前記球通路に臨んで該球通路のパチンコ球を誘導する払出回転体と、前記払出回転体を駆動する電気的駆動源と、前記払出回転体の支持から解放されるパチンコ球を検知する検知手段とを備えた球払出装置であって、
前記払出回転体は外周に螺旋状の突条が所定のリード角をもって形成され、前記突条の上流始端部に上面が外方向に下傾すると共にリード角をほぼゼロとした球停止面を形成し、前記検知手段によって所定個数のパチンコ球が検出されると、前記球停止面にパチンコ球が支持された状態で払出回転体が停止するようにしたことを特徴とする球払出装置。
【請求項４】
前記突条の上流始端部の下面を上流側に向って肉厚が薄くなるように切削したことを特徴とする請求項１乃至３のいずれかに記載の球払出装置。
【請求項５】
前記払出回転体は外周に複数の突条を設けたことを特徴とする請求項１乃至４のいずれかに記載の球払出装置。
【請求項６】
前記突条のリード角を４５°〜６０°に設定したことを特徴とする請求項１乃至５のいずれかに記載の球払出装置。
【発明の詳細な説明】
【０００１】
【発明の属する技術分野】
本発明は、パチンコ遊技機の球払出装置に関し、さらに詳しくは、パチンコ球を誘導する突条が定ピッチで螺旋状に設けられる回転体を備えた球払出装置に関するものである。
【０００２】
【従来の技術】
従来、パチンコ球を支持しながら誘導する突条を螺旋状に定ピッチで設けた回転体によって、球通路に連続する所定個数のパチンコ球を払出す球払出装置は数多くある。前記球払出装置は回転体を回転させることにより、球通路に連続するパチンコ球を突条で支持しながら流下させ、該突条の支持から解放されることで１個ずつ払出すようにしている。そして、前記突条は、球通路を連続して流下するパチンコ球間に入り込み易くするため、突条の上流側が薄くなるように形成したり、突条の外方への突出量が小さくなるように形成したりしている（例えば、特許文献１参照。）。
【０００３】
【特許文献１】
特許第２７３１８７６号公報（図１及び図２）
【０００４】
【発明が解決しようとする課題】
しかしながら、従来の球払出装置は、突条が螺旋状に設けられているため、回転体の停止時に、連続するパチンコ球の球圧が前記突条に掛かると、その球圧が流下方向の他に突条と直交する方向にも分力されて、回転体を回転させる方向に作用させる。このため、停止していた回転体が球圧により回転して、余分なパチンコ球が払出されてしまうという問題があった。また、球圧が回転させる方向に作用しないよう、安易に突条の始端部を水平に形成すると、その水平面でパチンコ球の球心を支持することなく端縁で支持するため、その突条の始端形状によっては、一旦支持したパチンコ球を持ち上げる現象を引起すことがある。このため、回転体及びモータに負荷がかかり安定した払出しができないという問題があった。
【０００５】
また、近年では一気に入賞球を発生させて、多量の賞球が獲得できるパチンコ遊技機が人気を博して、パチンコホールの主流となっている。ところが、前記パチンコ遊技機は、一気に賞球が獲得できる反面、入賞球に対応して賞球を払出す球払出装置の払出処理が遅いため、賞球の払出しが入賞球の入賞に追いつかず、ゲームが終了しても球払出装置から賞球の払出しが行われることがある。そうすると、その間遊技者は遊技を行わないため、パチンコ遊技機が稼動しない状態となることから、ホールの売上の減少にも影響していた。このため、ホールにとっては高速の払出しが可能な球払出装置が望まれていた。そこで、高速の払出しを可能にするためには、例えば螺旋状に設けられる突条のリード角を大きくすることが考えられる。ところが、単にリード角を大きくすると、確かに回転体を少し回転させるだけでパチンコ球が多く進むことから、高速の払出しが可能となるものの、前記したようにリード角が大きくなればそれだけ球圧により回転体が回転しやすくなり、余分なパチンコ球を払出してしまうという問題が残る。
【０００６】
そこで本発明は、従来技術の有するこのような問題点を解決するためになされたものであり、その目的とするところは、余分なパチンコ球を払出すことなく安定して確実な払出しができる球払出装置を提供しようとするものである。
【０００７】
【課題を解決するための手段】
上記目的を達成するために、請求項１記載の発明は、パチンコ球が連続して流下する球通路と、前記球通路に臨んで該球通路のパチンコ球を誘導する螺旋状の突条が外周に所定のリード角をもって形成される払出回転体と、前記払出回転体を駆動する電気的駆動源とを備えた球払出装置であって、前記突条の上流始端部に上面が外方向に下傾すると共にリード角をほぼゼロとした球停止面を形成したことを特徴とする。前記球停止面にパチンコ球が支持された際に加わる球圧が、前記払出回転体に回転モーメントを生じさせないようにした。
【０００８】
請求項２記載の発明は、パチンコ球が連続して流下する球通路と、前記球通路に臨んで該球通路のパチンコ球を誘導する螺旋状の突条が外周に所定のリード角をもって形成される払出回転体と、前記払出回転体を駆動する電気的駆動源とを備えた球払出装置であって、前記突条の上流始端部に上面が外方に下傾すると共にリード角をほぼゼロとした球停止面を形成し、前記球停止面の下流側にリード角を急角度とした加速面を連設したことを特徴とする。
【０００９】
請求項３記載の発明は、パチンコ球が連続して流下する球通路と、前記球通路に臨んで該球通路のパチンコ球を誘導する払出回転体と、前記払出回転体を駆動する電気的駆動源と、前記払出回転体の支持から解放されるパチンコ球を検知する検知手段とを備えた球払出装置であって、前記払出回転体は外周に螺旋状の突条が所定のリード角をもって形成され、前記突条の上流始端部に上面が外方に下傾すると共にリード角をほぼゼロとした球停止面を形成し、前記検知手段によって所定個数のパチンコ球が検出されると、前記球停止面にパチンコ球が支持された状態で払出回転体が停止するようにしたことを特徴とする。
【００１０】
請求項４記載の発明は、請求項１乃至３のいずれかに記載の球払出装置であって、前記突条の上流始端部の下面を上流側に向って肉厚が薄くなるように切削したことを特徴とする。
【００１１】
請求項５記載の発明は、請求項１乃至３のいずれかに記載の発明において、前記払出回転体は、外周に複数の突条を設けたことを特徴とする。
【００１２】
請求項６記載の発明は、請求項１乃至３のいずれかに記載の発明において、前記突条のリード角を４５°〜６０°に設定したことを特徴とする。
【００１３】
前記球支持部の上面の外方に向う傾斜角を３０°〜４５°に設定するのが好ましい。
【００１４】
上記構成の球払出装置は、パチンコ球を支持する突条が螺旋状に形成される払出回転体を、前記突条の上流始端部に上面がほぼ外方に向ってのみ下傾する球停止面を備えるようにしたので、該球停止面でパチンコ球を支持することで球止めが確実になる。さらに、該球停止面でパチンコ球が支持されている間に最先のパチンコ球は突条のリード角により流下して、パチンコ球間に適度な隙間を開けることができ、払出されたパチンコ球を正確に検知することができる。また、前記球停止面に連設して下流側の突条のリード角より急角度とした加速面を形成することで、払出回転体の回転時の助走となりモータの負荷を小さくすることができる。
【００１５】
なお、本発明の球払出装置は、貸球または賞球用の球払出装置に限られることなく、パチンコ遊技機間に設けられる球貸し機、球タンクへの補給機にも適用することができる。さらに、本発明の球払出装置が高速の払出しに対応できることから、パチンコ球を賭数として回収して変動図柄を揃える「パチロット」の賭数回収装置及び賞球払出装置にも適用することができる。
【００１６】
【発明の実施の形態】
本発明の実施の形態について、図面を参照して説明する。図１はパチンコ遊技機の裏面図である。図において、１はパチンコ遊技機の機枠であり、２は前記機枠１の前面に開閉可能に取付けられる前面枠２である。前記前面枠２の裏面には、遊技盤３のほぼ全体を覆うように、合成樹脂製の機構板５が開閉自在に装着されており、前記遊技盤３の裏面と相対する位置に開口窓６が開設されている。そして、前記開口窓６の下方であり、かつ平坦面として形成された板状部に球払出制御基板８及び大型の基板ボックス９が設けられ、該基板ボックス９には遊技機全体の遊技動作を制御する遊技制御基板が収納されている。
【００１７】
また、機構板５の裏面上部にはパチンコ球を貯留する球タンク１０が設けられており、該球タンク１０の下方には球払出装置１４に該球タンク１０のパチンコ球を整列して導く供給樋１１が設けられている。該供給樋１１は前記開口窓６の上方に位置する傾斜樋１２と該開口窓６の側方に位置する屈曲樋１３とで構成され、球タンク１０の球出口から導出されたパチンコ球が１列に整列された状態で流下する供給通路１１ａを有している。
【００１８】
また、前記球払出装置１４の下方に位置して、該球払出装置１４から払出されたパチンコ球を前面枠２の前面の上部球受皿（図示せず）に導く球排出樋１５と、該上部球受皿にパチンコ球が充満したとき、その余剰球を下部球受皿に導く余剰球通路１６が後面を開口した樋状として形成されており、その後面開口はカバー板１７によって覆われている。
【００１９】
前記屈曲樋１３は、図２に示すように上流側から中流にかけて緩やかな湾曲状に形成し、下流側を屈曲させて流勢を弱めるようにしており、コ字状に一側を開放した供給通路１１ａを一体に形成した裏枠体３０に、該開放側を表枠体３１で閉塞することで構成される。そして、上流から中流にかけての通路幅を、約２０ｍｍから１２ｍｍへと徐々に逓減するようにしている。また、屈曲樋１３の取着用の係合手段としての係合片３２が裏枠体３０に複数設けられ、機構板５に設けられる係合部３３に係止して取付けられる。さらに、屈曲樋１３の下流端に、球払出装置１４を固定する係止部材３５が回動自在に設けられ、供給通路１１ａの下流端に前記係止部材３５に設けられる球止片３６が突入する窓孔３７が開設されている。なお、前記球止片３６が窓孔３７に突入する際には、図２鎖線に示すように係止部材３５は球払出装置１４の係合を解除した状態にある。
【００２０】
４０は、球詰りの発生しやすい屈曲樋１３の上流部上面に臨んで設けられる整流装置である。該整流装置４０は円盤状の整流板４１をモータ４２で低速回転させて、供給通路１１ａを段状に積み重なって流下する上段のパチンコ球に整流板４１の板面部が接触して、球詰りとなる状態を強制的に解除させ、球詰りを発生させないようにしている。該整流装置４０は前記球払出装置１４の作動時に作動させるのが好ましく、前記モータ４２を正逆回転させるようにして積み重なったパチンコ球を拡散するようにしてもよい。また、前記モータ４２のモータ軸が固着されている整流板４１の軸部を供給通路１１ａの側面に臨ませ、該軸部の側面にも前記供給通路１１ａを流下するパチンコ球が接触し得るようにして、パチンコ球が整流板４１に接触する頻度を高めるようにしてもよい。このとき、板面部と軸部とで形成される角部は、パチンコ球の径より大きい湾曲状に形成し、よりパチンコ球の接触頻度を高めるようにするのが好ましい。また、前記整流板４１を供給通路１１ａの下面に設けるようにしてもよく、このとき、整流板４１の上流及び下流部には下流側が低くなる段差を設けるようにするのが好ましい。なお、整流装置４０は供給通路１１ａの側面に設けるようにしてもよく、さらに整流装置４０を複数設けるようにして、前記供給通路１１ａの複数面で可動させることでパチンコ球の動きが複雑となり、より球詰り発生を阻止することができる。また、前記整流板４１は必ずしもモータ４２で駆動することなく、整流板４１の板面部を供給通路１１ａに臨ませて回転自在に設け、パチンコ球の流下により回転するようにしてもよい。このとき、パチンコ球が板面部に接触して流下することにより整流板４１を回転させやすいように、該整流板４１のパチンコ球との接触面にシボ又は細かな凹凸等を設けたり、接触面を粗面に形成したりするようにしてもよい。このように、整流板４１の板面部でパチンコ球が接触するようにすることで、従来円弧面に接触させて整流するのに比べ接触距離が長くなり、より球詰りを防止することができる。
【００２１】
次に、図４及び図５を参照して球払出装置１４の構成について説明する。球払出装置１４は、箱枠状のケース体１８に前記屈曲樋１３の供給通路１１ａと連通する球通路１９と、前記球通路１９に臨んで該球通路１９を流下するパチンコ球を制御する払出回転体２０と、前記払出回転体２０を駆動する電気的駆動源としてのモータ２１とを備え構成している。なお、前記モータ２１は制御のしやすいステッピングモータが好ましい。前記ケース体１８は、前記球通路１９が形成される通路枠体１８ａとカバー体１８ｂとで構成され、前記通路枠体１８ａに前記モータ２１の取着部２２が設けられ、該取着部２２を介して前記払出回転体２０がモータ軸２１ａに取付けられている。また、ケース体１８には、球払出装置１４を機構板５に固定するために、通路枠体１８ａには側方（図上右側方）に突出して設けられる係止片３８ａと下方に鉤片３８ｂが設けられており、図２及び図４に示すように該鉤片３８ｂを透孔３９に係止して、前記係止片３８ａに前記係止部材３５を係合させることにより、該球払出装置１４を機構板５に固定することができる。
【００２２】
前記球通路１９は、図４及び図５に示すように、上流始端部を前記屈曲樋１３の供給通路１１ａと同幅である約１２ｍｍの通路幅として、緩やかに屈曲させて払出回転体２０にパチンコ球を導く流入通路部１９ａと、払出回転体２０によってパチンコ球が移送される移送通路部１９ｂと、パチンコ球が前記払出回転体２０の支持から外れて払出される排出通路部１９ｃとで構成されている。前記流入通路部１９ａは払出回転体２０の軸方向に沿って設けられ、払出回転体２０の上流側からパチンコ球が供給される。２４は前記排出通路部１９ｃに払出されたパチンコ球を検出する検知手段としてのセンサであり、該センサ２４は発光部と受光部とからなる光学式センサで、しかも排出通路部１９ｃの中心線からずれた位置でその光軸が交差するように配置される。そして、前記払出回転体２０による拘束から解放されたパチンコ球が光軸を遮ることで、該パチンコ球を検知し得るように配置される。言い換えれば、払出回転体２０により制止されている最先のパチンコ球は、光軸を遮断することなく未だ検知されない状態にある。
【００２３】
前記払出回転体２０は、図３に示すように前記モータ２１の回転軸２１ａに取付ける軸部２５の下方に、前記球通路１９に臨むパチンコ球径の１．５倍程度の軸柱２６が形成され、該軸柱２６の外周に前記球通路１９のパチンコ球を支持し、該パチンコ球の流下を制御する複数の突条２７を螺旋状に定ピッチで設けている。実施の形態において、前記突条２７は上面及び下面が外方に向って約３５°に傾斜した断面三角形状（台形状を含む）をしており、パチンコ球径とほぼ同じ送りピッチで約４５°のリード角で４条巻回されている。つまり、払出回転体２０の回転により、球通路１９のパチンコ球が、前記突条２７に支持されながら前記回転軸２１ａ方向に流下して、払出回転体２０が９０°回動する毎に１個ずつ払出され、該払出回転体２０の１回転で４個のパチンコ球が排出通路１９ｃに払出されるようにしている。また、前記突条２７は、連続して流下するパチンコ球間にスムーズに入り込みやすいよう、軸柱２６から外方に約３ｍｍ突出しており、該突条２７でパチンコ球の下部側面を支持するようにしている。
【００２４】
前記突条２７の上流始端部は、図３に示すように上面が外方向（半径方向）に下傾すると共に、周方向にはほとんど傾斜しない球停止面２８を形成している。つまり、該球停止面２８で支持されたパチンコ球の高さ位置は、払出回転体２０の回転によってほとんど変化せず、該球停止面にパチンコ球が支持された際に加わる球圧が、前記払出回転体に回転モーメントを生じさせないようにしている。また、前記突条２７の始端部下面は、上流側に向って肉厚が薄くなるようにテーパー状に切削して、パチンコ球間に突条２７の始端部が入り込みやすいようにしている。そして、前記球停止面２８に連設して、下流側のリード角より急角度に設定（図上約５０°）し、パチンコ球を一気に加速落下させる加速面２９を形成しており、前記加速面２９とその下流の突条２７の上面とは滑らかな暈しにより連設されている。なお、前記加速面２９の傾斜角は５０°〜６５°に設定するのが好ましい。いる。また、前記突条２７の始端から終端までの高さ距離は、ほぼパチンコ球１個分であり、各突条２７は軸柱２６の周面に１／４周するように巻設されて、互いに隣接する突条２７の始端と終端とは、ほぼ同一軸線上に位置している。このため、前記球停止面２８がパチンコ球間に臨み、後続のパチンコ球が該球停止面２８に支持されると、最先のパチンコ球は後続のパチンコ球はと分離され該パチンコ球は突条２７の終端に支持され、排出通路１９ｃに払出される待機状態となる。また、突条２７の外方（半径方向）に向う上面角度を３５°として説明したが、その傾斜角度に限定されるものではなく外方に向けて３０°〜４５°の傾斜が好ましい。なお、前記突条２７の上流から下流にかけて、上面全体を外方向に下傾するようにしたが、少なくとも球停止面２８が外方向に下傾するようにして、その下流側の突条２７上面は周方向にのみ下傾するようにしてもよい。また、前記球停止面２８は、周方向に全く下傾しないのは勿論のこと、球圧がかかっても払出回転体２０を回転させる作用が働くことがない１°〜３°程度の僅かな傾斜を有するようにしてもよい。
【００２５】
上記構成の球払出装置１４は、球タンク１０のパチンコ球が供給樋１１を介して供給された常態では、図６（イ）に示すように前記球停止面２８に最先のパチンコ球が支持され、後続のパチンコ球と接触状態にいる。このとき、突条２７の外周部分と流入通路部１９ａとの間隙は狭く、パチンコ球は排出通路部１９ｃに移動できない。この状態で、貸球操作が行われるか又は入賞すると、球払出制御基板８から球払出装置１４に球払出指令信号が発せられる。そして、その信号によりモータ２１が駆動し、それに伴い払出回転体２０が同図矢印方向に回動すると、最先のパチンコ球は突条２７に支持されながら流下する。このとき、加速面２９で最先のパチンコ球が加速されると、払出回転体２０の回転に惰性がつき、モータ２１の負担を軽減することができる。そして、最先のパチンコ球の流下に伴い後続のパチンコ球も流下し、該パチンコ球間に次の突条２７の球停止面２８が割り込むように入り込み、図６（イ）に示すように後続のパチンコ球が該球停止面２８に支持される。このとき、最先のパチンコ球は突条２７の終端で支持された状態にある。この状態から、払出回転体２０がさらに回動すると、球停止面２８で支持されていた後続のパチンコ球は、図６（ロ）に示すように該球停止面２８の支持を外れて加速面２９に沿って下動し、最先のパチンコ球は突条２７の支持から外れて排出通路１９ｃに放出され、球検知センサ２４で検知される。そして、連続して所定個数が払出される際には、始端部の球停止面２８が周方向にほとんど傾斜していないため、後続のパチンコ球が前記球停止面２８で支持されている間に、最先のパチンコ球は突条２７に支持されながら該突条２７の傾斜（リード角）により下降して、後続のパチンコ球と滑らかに分離され、図６（イ）に示すように球間に適度な隙間が生じ、球検知センサ２４により１個ずつ確実に検知することができる。このようにして、球検知センサ２４により所定数のパチンコ球が検知計数されると、球払出制御基板８から球払出装置１４に球払出停止指令信号が発せられてモータ２１が停止し、同時に払出回転体２０も停止する。このとき、最先のパチンコ球は突条２７で支持された状態となるものの、後続のパチンコ球は図６（イ）に示すように最先のパチンコ球と間隔を隔てて確実に周方向に傾斜しない球停止面２８に支持される。このため、該球停止面２８で受けられる球圧は軸方向に作用して回転方向に作用しないことから、該球停止面２８は確実なストップゾーンとなり、球圧により払出回転体２０が過回動して余分にパチンコ球を払出すことはなく、確実な制御が可能となる。
【００２６】
しかも、いわゆる「大当り」になって短時間に大量の賞球が払出される際にも、払出回転体２０に間断なく供給され確実な払出しが行われる。この実施の形態において、該払出回転体２０によって１分間に払出される最大払出個数は約１，８００〜２，０００個である。
【００２７】
このように、払出回転体２０の突条２７の上流始端部に、ほぼ外方向にのみ下傾させて周方向にはほとんど傾斜しない球停止面２８を形成し、払出回転体２０の停止時に該球停止面２８にパチンコ球を支持させることにより、後続のパチンコ球は持ち上げられることがなく、払出回転体２０及びモータ２１に負荷をかけることがない。しかも、該球停止面２８にパチンコ球を支持させると、球圧が周方向に掛からないことから、球圧により払出回転体２０が過回動することがないため確実な球止めができる。また、最先のパチンコ球が突条２７の傾斜によって流下するのに対し、後続のパチンコ球が球停止面２８でほぼ同一高さに支持されることにより、最先のパチンコ球と後続のパチンコ球間に適度な隙間を生じさせ、払出されたパチンコ球をセンサ２４で正確に検知して、確実に球計数を行うことができる。また、球停止面２８に連設して下流側の突条２７のリード角より急角度とした加速面２９を形成することにより、払出回転体２０が回転し始めてすぐにパチンコ球が加速面２９で支持されるため、モータ２１に掛かる負荷が小さくなる。このため、払出し始動時の助走として払出回転体２０の回転に弾みをつけることができ、モータ２１のトルクを小さくすることができる。
【００２８】
また、検知スイッチ２４の設置位置によっては、その検知信号により払出回転体２０を停止するようにしても、図６（ロ）に示すように最先のパチンコ球が球停止面２８で支持されずに停止することもあり得る。しかし、万一突条２７で支持されたパチンコ球に球通路１９のパチンコ球の球圧がかかり、払出回転体２０が余分に回転することがあったとしても、後続のパチンコ球が図６（イ）に示すように球停止面２８で支持されることにより、球圧が回転方向に作用しなくなり払出回転体２０の回転が停止し、最先のパチンコ球は突条２７の下流位置で支持された状態となり、それ以上回転して余分にパチンコ球が払出されることがない。逆に予め払出されたパチンコ球の検知時に、後続のパチンコ球を突条２７で支持した状態でモータ２１を停止させるようにしてよく、特にモータ２１が惰性により回転して払出回転体２０を回動させたり、前記したように球圧により払出回転体２０が回動したりすることがあっても、後続のパチンコ球が前記球停止面２８で支持されることにより、払出回転体２０がそれ以上回転することがないため、過回動して余分なパチンコ球を払出すことはない。このことから、実施の形態において、球停止面２８に連設して加速面２９を設けるようにしたが、必ずしも加速面２９を設ける必要はなく、球停止面２８を設けることで過剰払いをなくすことができる。また、前記払出回転体２０は、図７示すように軸柱２６の側面を溝状に凹窪して突条２７を形成して、パチンコ球の咥え込み度合を多くするようにしてもよい。なお、実施の形態において、軸部２５の下方に突条２７を設けた軸柱２６を形成するようにしたが、当然軸柱２６に直接モータ２１の回転軸２１ａを固定するようにしてもよい。
【００２９】
なお、前記払出回転体２０の突条２７を４条として、高速の払出しに対応できるように説明したが、この条数に限定されるものではなく、好ましくは２〜６以下の複数条がよい。これは、当然突条２７の条数を増やせば１回転での払出個数が増えるものの、条数を増やすと各突条２７間の必要ピッチとの関係で払出回転体２０の直径が必然的に大きくなり、モータ２１への負担が大きくなるからである。また、前記突条２７のリード角も限定されるものではなく、球圧により回転を促す４５°〜６０°に設定するのが好ましい。これは、従来リード角を急にすると、払出し速度を速くすることができるものの、球圧が払出回転体２０を回転させるように働くため、リード角を所定角度よりきつくすることができなかったが、球支持部２７の上流始端部に周方向にほとんど下傾しない球停止面２８を形成して、停止時に該球停止面２８でパチンコ球を支持するようにすることにより、球圧が払出回転体２０を回転させる方向に働かないため、確実に払出回転体２０を所定位置で停止させることができる。
【００３０】
また、球通路１９を１条として説明したが、当然前記払出回転体２０の周囲を囲むように球通路１９を複数設けても排出速度を高めることができるが、球通路１９を複数にすると当然該球通路１９にパチンコ球を供給する供給通路を複数設けなければならず、それに伴い球払出装置１４にパチンコ球を導く供給樋１１が嵩張り、さらにパチンコ球を整流するのが難しくなるという問題がある。このことからも、１条の球通路１９で複数の突条２７を設けた払出回転体２０で払出すようにするのが好ましい。
【００３１】
また、実施の形態において、球払出装置１４の球通路１９の垂直通路部に払出回転体２０を設けるようにしたが、傾斜状の通路部に略平行するように払出回転体２０を設けるようにして、パチンコ球が突条２７に支持されながら流下するようにしてもよい。
【００３２】
また、実施の形態において、球タンク１０に貯留されたパチンコ球を供給樋１２を介して球払出装置１４に導くようにしたが、球タンク１０にパチンコ球を貯留することなく、パチンコ遊技機にパチンコ球を補給する補給樋から供給樋１２を介して直接球払出装置１４に供給するようにしてもよい。
【００３３】
なお、本発明の球払出装置１４は、実施の形態に示したパチンコ遊技機に設けられる賞球及び貸球の払出しに限られることなく、パチンコ遊技機間に設けられる球貸し機，球タンク１０への補給機としても適用することができる。さらに、本発明の球払出装置１４が高速の払出しに対応できることから、パチンコ球を賭数として回収して変動図柄を揃えて遊技する「パチロット」の供給皿に設けられる回収装置にも適用することができる。
【００３４】
【発明の効果】
以上述べたように、本発明に係る球払出装置は、パチンコ球を支持する突条が螺旋状に形成される払出回転体を、前記突条の上流始端部に上面がほぼ外周に向ってのみ下傾する球停止面を形成するようにしたので、球停止面での球止めが確実になると共に球間に適度な隙間を開けることができ、払出されたパチンコ球を正確に検知することができる。また、前記球停止面に連設して下流側の突条のリード角より急角度とした加速面を形成することで、払出回転体の回転時の助走となりモータの負荷を小さくすることができる。
【図面の簡単な説明】
【図１】パチンコ遊技機の裏面図である。
【図２】本発明に係る球払出装置部分の正面図である。
【図３】払出回転体の斜視図である。
【図４】球払出装置の側面断面図である。
【図５】球払出装置の正面断面図である。
【図６】（イ），（ロ）は払出しの作用説明図である。
【図７】他の実施の形態の払出回転体の斜視図である。
【符号の説明】
１４                球払出装置
１９                球通路
１９ａ              流入通路部（球通路）
１９ｂ              移送通路部（球通路）
１９ｃ              排出通路部（球通路）
２０                払出回転体
２１                モータ（電気的駆動源）
２４                センサ（検知手段）
２７                突条
２８                球停止面
２９                加速面
【図１】
2005000240.tif 000003
【図２】
2005000240.tif 000004
【図３】
2005000240.tif 000005
【図４】
2005000240.tif 000006
【図５】
2005000240.tif 000007
【図６】
2005000240.tif 000008
【図７】
2005000240.tif 000009